(57)【要約】【課題】家具類を任意の位置で、且つ容易に、壁面に固定させることができる家具類の転倒防止構造を提供する。【解決手段】金属外皮１３ａを備えるサンドイッチパネル１５で形成される壁面に家具類１１を固定する。家具類１１に磁性を有する固定具１２を取り付ける。固定具１２を金属外皮１３ａに磁着させる。【選択図】図１
2014027993.tif 000002
【特許請求の範囲】
【請求項１】
金属外皮を備えるサンドイッチパネルで形成される壁面に家具類を固定するにあたって、前記家具類に磁性を有する固定具を取り付け、前記固定具を前記金属外皮に磁着して成ることを特徴とする家具類の転倒防止構造。
【請求項２】
前記固定具は、ストラップを備え、前記ストラップを前記家具類に連結して成ることを特徴とする請求項１に記載の家具類の転倒防止構造。
【請求項３】
前記固定具は、連結片を備え、前記連結片を前記家具類に連結して成ることを特徴とする請求項１に記載の家具類の転倒防止構造。
【発明の詳細な説明】
【技術分野】
【０００１】
本発明は、家具類の転倒を防止する転倒防止構造に関するものであって、特に、建築物の壁にサンドイッチパネルを用いた家具類の転倒防止構造に関するものである。
【背景技術】
【０００２】
従来、地震などの揺れに対して家具類の転倒を防止するにあたって、各種の転倒防止構造が採用されている。例えば、特許文献１では、設備機器の背面に永久磁石板を接着などの方法で延設させ、この永久磁石板に対向する位置の躯体壁の壁面には、長尺の磁性板を接着などの方法で延設させている。そして、設備機器の背面を、躯体壁の壁面に当接させ、永久磁石板と磁性板との間に発生する磁気吸引力によって、設備機器を躯体壁に固定させている。
【０００３】
また、特許文献２では、家具の背面に電磁石装置を設けるとともに、家具を設置する壁に鉄板を埋設する構造としている。そして、家具の背面に配設した電磁石装置の電磁力の発生によって壁の鉄板に対して引きつけ力を生じさせ、家具の背面を壁に固定させている。
【０００４】
しかし、このような従来の転倒防止構造においては、家具類を壁面に固定させる際、磁性板や鉄板を取り付けた特定の壁面に家具類を固定させる必要があった。このため、家具類の設置場所が限定され、家具類を移動させて別の場所で壁面に固定させる場合、家具類の設置場所を任意に選択することが困難であった。また、磁石板や鉄板を壁面に取り付ける作業や、電磁石装置を家具類に配設する作業などが必要であり、家具類の固定作業に手間や時間がかかるという問題があった。
【先行技術文献】
【特許文献】
【０００５】
【特許文献１】特開２００３−７９４６６号公報
【特許文献２】特開平１１−１０３９６０号公報
【発明の概要】
【発明が解決しようとする課題】
【０００６】
本発明は上記の点に鑑みてなされたものであり、家具類を任意の位置で、且つ容易に、壁面に固定させることができる家具類の転倒防止構造を提供することを目的とするものである。
【課題を解決するための手段】
【０００７】
本発明に係る家具類の転倒防止構造は、金属外皮を備えるサンドイッチパネルで形成される壁面に家具類を固定するにあたって、前記家具類に磁性を有する固定具を取り付け、前記固定具を前記金属外皮に磁着して成ることを特徴とするものである。
【０００８】
前記固定具は、ストラップを備え、前記ストラップを前記家具類に連結して成ることが好ましい。
【０００９】
前記固定具は、連結片を備え、前記連結片を前記家具類に連結して成ることが好ましい。
【発明の効果】
【００１０】
本発明によれば、家具類の設置場所を制限する必要がなくなるため、家具類を任意の位置で壁面に固定させることができるものである。また、家具類を固定させるための磁性板や鉄板を壁面に取り付ける作業が必要でなくなるため、家具類を容易に壁面に固定させることができるものである。
【図面の簡単な説明】
【００１１】
【図１】本発明の第一の実施形態を示し、（ａ）は側面図、（ｂ）は固定具の一例を示す斜視図、（ｃ）は固定具の一例を示す断面図である。
【図２】本発明の第二の実施形態を示し、（ａ）は側面図、（ｂ）及び（ｃ）は固定具の一例を示す斜視図である。
【図３】本発明の第三の実施形態を示し、（ａ）は斜視図、（ｂ）は固定具の一例を示す斜視図である。
【発明を実施するための形態】
【００１２】
以下、本発明を実施するための形態を説明する。
【００１３】
本発明における家具類の転倒防止構造は、金属外皮を備えるサンドイッチパネルで形成される壁面に家具類を固定するものである。家具類に磁性を有する固定具を取り付ける。この固定具を金属外皮に磁着させる。なお、本実施例では、家具類として、電子レンジ、冷蔵庫、スチール製キャビネット、薄型の平面テレビ、パーソナルコンピュータの表示装置、テレビを設置するためのテレビ設置台、箪笥を実施の対象として説明するが、本発明はこれに限られない。
【００１４】
[第一の実施形態]
図１（ａ）に示すように、壁面は、サンドイッチパネル１５で形成される。
【００１５】
サンドイッチパネル１５は、二枚の金属外皮１３ａ、１３ａと、断熱材１４とを備える。
【００１６】
金属外皮１３ａは、鉄板や鋼板などの金属板から形成されていることが好ましい。これにより、磁性を有する固定具１２を、金属外皮１３ａに磁着させることができる。金属外皮１３ａとしては、金属板をロール加工や折り曲げ加工するなどして、厚みを０．２７〜１．０ｍｍ程度に成形したものを用いることができる。
【００１７】
断熱材１４としては、例えば、密度４０〜６０ｋｇ／ｍ３のポリイソシアヌレートフォームやウレタンフォームやフェノールフォームなどの樹脂発泡体が挙げられる。また、断熱材１４として、ロックウールやグラスウールなどの繊維状無機材料を用いてもよい。
【００１８】
サンドイッチパネル１５は、二枚の金属外皮１３ａと１３ａとの間に、断熱材１４を充填して板状に形成される。
【００１９】
家具類１１には、磁性を有する固定具１２を取り付け、固定具１２をサンドイッチパネル１５の室内側の金属外皮１３ａに磁着させる。
【００２０】
家具類１１としては、背面１１ｂが磁着性を有する材料で形成されていることが好ましい。これにより、固定具１２を家具類１１の背面１１ｂに磁着させることができる。家具類１１の具体例としては、電子レンジ、冷蔵庫、スチール製キャビネット等が挙げられる。
【００２１】
固定具１２は、図１（ｂ）及び（ｃ）に示すように、磁石１６と、継鉄１７と、収納ケース１８とを備える。
【００２２】
磁石１６は、固定具１２の断面中央部に備えられる。磁石１６としては、例えば、フェライト磁石、ネオジウム磁石、サマリウムコバルト磁石、アルニコ磁石などが挙げられる。固定具１２が磁石１６を備えることにより、サンドイッチパネル１５の金属外皮１３ａに固定具１２を磁着させることができる。
【００２３】
継鉄１７は、磁石１６とともに用いて、磁気回路の一部となる鉄片のことである。継鉄１７は、固定具１２において、磁石１６を囲うようにして形成されている。継鉄１７としては、軟鉄が挙げられる。固定具１２が継鉄１７を備えることにより、磁石１６の磁着力を増幅させることができる。
【００２４】
収納ケース１８は、固定具１２において、磁石１６と継鉄１７とを囲うように保持して収納する。収納ケース１８の材質としては、例えば、金属や強化プラスチックなどが挙げられる。
【００２５】
固定具１２は、第一の面１２ａと、この第一の面１２ａと平行な第二の面１２ｂとを備える。第一の面１２ａは、家具類１１に磁着させる面である。第二の面１２ｂは、サンドイッチパネル１５の室内側の金属外皮１３ａに磁着させる面である。
【００２６】
次に、サンドイッチパネル１５で形成される壁面に、家具類１１を固定する方法について説明する。
【００２７】
まず、家具類１１の背面１１ｂに固定具１２を取り付ける。この際、家具類１１の背面１１ｂに固定具１２の第一の面１２ａを磁着させる。固定具１２を取り付ける家具類１１の背面１１ｂの位置は、特に限定されるものではなく、任意の位置を選択することができる。
【００２８】
次に、固定具１２を取り付けた家具類１１の背面１１ｂが、サンドイッチパネル１５の室内側の金属外皮１３ａと対向するように家具類１１を配置する。そして、固定具１２の第一の面１２ａと反対側の外面である第二の面１２ｂを、サンドイッチパネル１５の室内側の金属外皮１３ａに磁着させる。これにより、家具類１１が固定具１２を介してサンドイッチパネル１５に固定される。この場合、家具類１１を固定させるための磁性板や鉄板を壁面に取り付ける作業が必要でなくなるため、家具類１１を容易に壁面に固定させることができる。
【００２９】
本実施形態では、建築物の全ての壁面が、サンドイッチパネル１５で形成されていることが好ましい。この場合、固定具１２を介して全ての壁面に家具類１１を磁着させることができる。このため、家具類１１を移動させて別の場所で壁面に固定させる場合でも、家具類１１の設置場所が限定されず、家具類１１の設置場所を任意に選択することができる。
【００３０】
上記図１（ａ），（ｂ），（ｃ）に示す実施の形態では、固定具１２が、磁石１６と、継鉄１７と、収納ケース１８とを備えた構造を説明したが、本発明はこれに限られない。例えば、固定具１２が磁石１６のみで形成されていてもよい。
【００３１】
家具類１１に取り付ける固定具１２の数は、必要に応じて適宜設定することができる。固定具１２の数は、家具類１１の転倒を防止するために磁石１６に必要な引張力を算出して、設定される。家具類１１の重量をＷとすると、地震時に家具類１１に作用する力、すなわち地震力Ｑは、次の数式（１）で表される。
Ｑ＝ｋ×Ｗ      ・・・・・（１）
ここで、ｋは、地震力を算出するための係数（０．３〜０．４）である。例えば、家具類１１の重量Ｗを２００ｋｇｆ（１９６０Ｎ）とすると、地震力Ｑは、６０ｋｇｆ（５８８Ｎ）〜８０ｋｇｆ（７８４Ｎ）と算出される。ここで、地震力Ｑが、８０ｋｇｆ（７８４Ｎ）であると仮定する。家具類１１に磁石１６を四個取り付ける場合、磁石１６一個あたりに必要な引張力は、８０ｋｇｆ（７８４Ｎ）の１／４である２０ｋｇｆ（１９６Ｎ）となる。
【００３２】
本実施形態では、固定具１２が、収納ケース１８の外部に、固定具１２の着脱を容易に可能にする操作レバーを備えていてもよい。この操作レバーを押し引きすることにより、壁面等に磁着させた固定具１２を、壁面等から容易に取り外すことができる。
【００３３】
また、本実施形態では、固定具１２の内部に、切り替え部を備えていてもよい。この切り替え部は、固定具１２を着脱する際、第一の状態と、第二の状態とを切り替えるものである。
【００３４】
第一の状態は、固定具１２の磁石１６と、継鉄１７と、磁着させる面（第一の面１２ａ及び第二の面１２ｂ）とを、磁気的に繋ぐ状態である。この場合、固定具１２は磁化されるため、固定具１２を壁面等に磁着させることができる。
【００３５】
第二の状態は、固定具１２の磁石１６と、継鉄１７と、磁着させる面（第一の面１２ａ及び第二の面１２ｂ）とが、磁気的に短絡する状態である。この場合、固定具１２は磁化されないため、固定具１２を壁面等に磁着させることができない。
【００３６】
切り替え部は、固定具１２の着脱を容易に可能にする操作レバーに連結されていることが好ましい。この場合、操作レバーを操作することによって、第一の状態と、第二の状態とを切り替えることができる。
【００３７】
壁面等に磁着させた固定具１２は、例えば、次の手法によって壁面等から容易に取り外すことができる。このとき、固定具１２の切り替え部は、第一の状態である。
【００３８】
まず、固定具１２の収納ケース１８の外部に設けられた操作レバーを押す。これにより、固定具１２の内部に設けられた切り替え部が可動し、第一の状態から第二の状態に切り替わる。
【００３９】
次に、固定具１２の収納ケース１８の外部に設けられた操作レバーを手前に引く。これにより、固定具１２が、壁面等から離れ、固定具１２を壁面等から取り外すことができる。
【００４０】
[第二の実施形態]
本実施形態では、図２（ａ）に示すように、固定具１２を介してサンドイッチパネル１５に家具類１１を固定させる。サンドイッチパネル１５の構成は、第一の実施形態と同じである。
【００４１】
本実施形態では、第一の実施形態において、固定具１２の形状が図２（ｂ）及び（ｃ）に示されるように変更されている。
【００４２】
固定具１２は、図２（ｂ）に示すように、ひも状のストラップ７１を備え、ストラップ７１を家具類１１に連結させるものである。この場合、ストラップ７１を介して家具類１１を固定具１２に固定させることができる。
【００４３】
ストラップ７１は、家具類１１が転倒しないように支えることができるものであれば、特に限定はされない。ストラップ７１の材質としては、例えば、ナイロンなどが挙げられる。
【００４４】
固定具１２は、第一の面１２ａに二つのストラップ挿通孔２１（第一のストラップ挿通孔２１ａ及び第二のストラップ挿通孔２１ｂ）を備える。第一のストラップ挿通孔２１ａ及び第二のストラップ挿通孔２１ｂは、収納ケース１８に形成されている。第一のストラップ挿通孔２１ａは、第二のストラップ挿通孔２１ｂの上方に形成されており、第一のストラップ挿通孔２１ａ及び第二のストラップ挿通孔２１ｂは、上下方向に間隔をあけて並ぶように形成されている。尚、第一の面１２ａに設けるストラップ挿通孔２１の数は、特に限定されるものではなく、適宜設定することができる。
【００４５】
ストラップ挿通孔２１には、ストラップ７１を挿通させる。ストラップ７１は、ストラップ７１の一端を第一のストラップ挿通孔２１ａから固定具１２の中へ挿通させ、収納ケース１８と継鉄１７との間へ挿通させた後に、第二のストラップ挿通孔２１ｂから固定具１２の外へ延出させるようにして、設けられている。
【００４６】
上記以外の固定具１２の構成は、第一の実施形態と同様である。
【００４７】
家具類１１としては、背面１１ｂに係止片を備えていることが好ましい。この場合、背面１１ｂの係止片にストラップ７１を引っ掛け、ストラップ７１を介して家具類１１を固定具１２に固定させることができる。家具類１１の具体例としては、薄型の平面テレビや、パーソナルコンピュータの表示装置などが挙げられる。
【００４８】
次に、サンドイッチパネル１５で形成される壁面に、家具類１１を固定する方法について説明する。
【００４９】
本実施形態では、第一の実施形態において、固定具１２による家具類１１の固定方法が図２（ａ）に示されるように変更されている。すなわち、家具類１１の背面１１ｂに、固定具１２が備えるストラップ７１を取り付け、家具類１１を固定させる。それ以外の構成は、第一の実施形態と同じである。
【００５０】
また、本実施形態において、固定具１２は、図２（ｃ）に示すように、連結片２６を備え、連結片２６を家具類１１に連結させることが好ましい。この場合、連結片２６を家具類１１に取り付け、家具類１１を固定具１２に固定させることができる。
【００５１】
連結片２６は、板状の部材である。連結片２６は、固定具１２の第一の面１２ａと直交する方向に、固定具１２の下面１２ｃを延出するようにして形成されている。
【００５２】
連結片２６は、収納ケース１８と一体的に形成されていてもよい。また、連結片２６は、磁石１６と継鉄１７とを備えていてもよい。
【００５３】
また、連結片２６は、固着具挿入孔２３を備える。これにより、図２（ａ）に示す固着具８１を固着具挿入孔２３に挿入して、家具類１１を固定させることができる。
【００５４】
固着具８１としては、例えば、ネジや釘等が挙げられる。また、固着具８１として、接着剤などを用いて、これを固定具１２の下面１２ｃに塗布し、固定具１２を家具類１１に貼り付けることにより家具類１１を固定させてもよい。
【００５５】
上記以外の固定具１２の構成は、第一の実施形態と同様である。
【００５６】
家具類１１としては、例えば、テレビを設置するためのテレビ設置台などが挙げられる。
【００５７】
次に、サンドイッチパネル１５で形成される壁面に、家具類１１を固定する方法について説明する。
【００５８】
まず、固定具１２を、家具類１１の上面１１ｄに取り付ける。この際、固定具１２の連結片２６を家具類１１に固定させる。すなわち、固定具１２の下面１２ｃと、家具類１１の上面１１ｄとを当接させる。そして、固定具１２の固着具挿入孔２３に固着具８１を挿入する。この固着具８１を介して、家具類１１を固定させる。それ以外の構成は、第一の実施形態と同じである。
【００５９】
[第三の実施形態]
本実施形態では、図３（ａ）に示すように、固定具１２を介してサンドイッチパネル１５に家具類１１を固定させる。サンドイッチパネル１５の構成は、第一及び第二の実施形態と同じである。
【００６０】
本実施形態では、第二の実施形態において、固定具１２の形状が図３（ｂ）に示されるように変更されている。
【００６１】
固定具１２は、連結片２６を備える。
【００６２】
連結片２６は、固定具１２の第一の面１２ａと直交する方向に、固定具１２の上面１２ｄを延出するようにして形成されている。
【００６３】
上記以外の固定具１２の構成は、第二の実施形態と同様である。
【００６４】
家具類１１としては、例えば、箪笥などが挙げられる。
【００６５】
次に、サンドイッチパネル１５で形成される壁面に、家具類１１を固定する方法について説明する。
【００６６】
まず、固定具１２を、家具類１１の上面１１ｄに取り付ける。この際、固定具１２の連結片２６を家具類１１に固定させる。すなわち、固定具１２の連結片２６の下面２６ｃと、家具類１１の上面１１ｄとを当接させる。また、固定具１２の第一の面１２ａと、家具類１１の背面１１ｂとを当接させる。そして、固定具１２の固着具挿入孔２３に固着具８１を挿入する。この固着具８１を介して、家具類１１を固定させる。それ以外の構成は、第一及び第二の実施形態と同じである。
【符号の説明】
【００６７】
１１  家具類
１２  固定具
１３ａ  金属外皮
１５  サンドイッチパネル
２６  連結片
７１  ストラップ
【図１】
2014027993.tif 000003
【図２】
2014027993.tif 000004
【図３】
2014027993.tif 000005